(57)【要約】【課題】送信又は受信される電波が遮断されることが抑制可能なピエゾ式駆動装置を提供すること。【解決手段】所定周波数の駆動信号がピエゾ素子２１に入力され、軸線ＡＸに沿って対象物１６が移動されるピエゾ式駆動装置５０であって、駆動信号の入力に基づいて伸縮するセラミックス材料のピエゾ素子２１と、ピエゾ素子２１からの力を受けて軸線ＡＸを中心に回転する非金属の回転体２５と、を備える。回転体２５はセラミックス材料からなることが好ましい。【選択図】図２
2008278578.tif 000002
【特許請求の範囲】
【請求項１】
所定周波数の駆動信号がピエゾ素子に入力され、所定の軸線に沿って対象物が移動されるピエゾ式駆動装置であって、
前記駆動信号の入力に基づいて伸縮するセラミックス材料のピエゾ素子と、
前記ピエゾ素子からの力を受けて前記軸線を中心に回転する非金属の回転体と、
を備える、ピエゾ式駆動装置。
【請求項２】
前記回転体は、セラミックス材料からなることを特徴とする請求項１記載のピエゾ式駆動装置。
【請求項３】
前記ピエゾ素子は、前記軸線に沿う複数の分割線を境に分割された複数の分極部分を有する筒状部材であって、
前記回転体は、前記ピエゾ素子の上端面上、又は下端面上に配置されることを特徴とする請求項２記載のピエゾ式駆動装置。
【請求項４】
バネ性を有する非磁性体の金属部材によって、前記ピエゾ素子は前記回転体側に付勢されることを特徴とする請求項３記載のピエゾ式駆動装置。
【請求項５】
バネ性を有する非磁性体の金属部材によって、前記回転体は前記ピエゾ素子側に付勢されることを特徴とする請求項３記載のピエゾ式駆動装置。
【請求項６】
前記ピエゾ素子は、前記軸線に沿う複数の分割線を境に分割された複数の分極部分を有する筒状部材であって、
前記回転体は、筒状の前記ピエゾ素子の空洞内に配置されることを特徴とする請求項１記載のピエゾ式駆動装置。
【請求項７】
前記回転体は、樹脂材料からなることを特徴とする請求項６記載のピエゾ式駆動装置。
【請求項８】
前記ピエゾ素子、前記回転体、前記対象物を内部に収納する容器と、をさらに備え、
当該容器は、上蓋部分と本体部分とが嵌合された部材であることを特徴とする請求項１乃至７記載のピエゾ式駆動装置。
【請求項９】
前記ピエゾ素子、前記回転体、前記対象物を内部に収納する容器と、をさらに備え、
前記ピエゾ素子は、前記容器と前記ピエゾ素子の外側面との間に配置された複数の板状の弾性部材によって前記容器の内側に付勢されることを特徴とする請求項１乃至８記載のピエゾ式駆動装置。
【請求項１０】
前記弾性部材は、導電性を有する非磁性体の金属板であって、前記ピエゾ素子に入力される前記駆動信号の配線を構成することを特徴とする請求項９記載のピエゾ式駆動装置。
【発明の詳細な説明】
【技術分野】
【０００１】
本発明は、ピエゾ式駆動装置に関する。
【背景技術】
【０００２】
近年、移動体通信端末（携帯電話）の高機能化の進展が著しく、携帯電話等に実装されるカメラモジュール（レンズの焦点距離を変更可能とする駆動装置）の高性能化も強く求められている。
【０００３】
携帯電話の配線基板には、様々な機能回路（ＧＰＳ(Global Positioning System)用の機能回路、地上波デジタル受信用の機能回路、コンパス用の機能回路、電子財布用の機能回路等）が実装される。これらの機能回路は外部と電磁的方法により信号の送信又は受信を実行する。
【０００４】
駆動装置としては電磁モータ（ステッピングモータ、ボイスコイルモータ）を利用したものも知られている。しかし、電磁モータを利用した駆動装置では、その構成部品に強磁性体の金属を用いる必要があり、動作時に磁性ノイズが生じる。磁性ノイズの発生は、携帯電話の受信機能を劣化させる。従って、電磁モータを利用した駆動装置は携帯電話には適さない。
【０００５】
他方、特許文献１乃至３記載のピエゾ式駆動装置は、非磁性体のピエゾ素子（圧電素子）を利用している。従って、電磁モータと比較して磁性ノイズが問題となるおそれは低い。
【特許文献１】特開２００２−３０３７７５号公報
【特許文献２】特開２００３−３３０５４号公報
【特許文献３】特許３２４７６０７号公報
【発明の開示】
【発明が解決しようとする課題】
【０００６】
上述のように、移動体通信端末の技術の進展が著しく、これに用いられる駆動装置にも高い性能が要求されている。ピエゾ式駆動装置においては、ピエゾ素子自体は非磁性体のセラミックスであるが、ピエゾ素子からの力を受けて回転する部材は金属からなる。回転体の材料として金属を採用する場合、携帯電話で受信される音声信号に加えて、上述の機能回路で受信される信号も、回転体によって遮断される可能性がある。
【０００７】
本発明は、このような問題点を解決するためになされたものであり、送信又は受信される電波が遮断されることが抑制可能なピエゾ式駆動装置を提供することを目的とする。
【課題を解決するための手段】
【０００８】
本発明にかかるピエゾ式駆動装置は、所定周波数の駆動信号がピエゾ素子に入力され、所定の軸線に沿って対象物が移動されるピエゾ式駆動装置であって、前記駆動信号の入力に基づいて伸縮するセラミックス材料のピエゾ素子と、前記ピエゾ素子からの力を受けて前記軸線を中心に回転する非金属の回転体と、を備える。
【０００９】
前記回転体は、セラミックス材料からなる、と良い。
【００１０】
前記ピエゾ素子は、前記軸線に沿う複数の分割線を境に分割された複数の分極部分を有する筒状部材であって、前記回転体は、前記ピエゾ素子の上端面上、又は下端面上に配置される、と良い。
【００１１】
バネ性を有する非磁性体の金属部材によって、前記ピエゾ素子は前記回転体側に付勢される、と良い。
【００１２】
バネ性を有する非磁性体の金属部材によって、前記回転体は前記ピエゾ素子側に付勢される、と良い。
【００１３】
前記ピエゾ素子は、前記軸線に沿う複数の分割線を境に分割された複数の分極部分を有する筒状部材であって、前記回転体は、筒状の前記ピエゾ素子の空洞内に配置される、と良い。前記回転体は、樹脂材料からなる、と良い。
【００１４】
前記ピエゾ素子、前記回転体、前記対象物を内部に収納する容器と、をさらに備え、当該容器は、上蓋部分と本体部分とが嵌合された部材である、と良い。
【００１５】
前記ピエゾ素子、前記回転体、前記対象物を内部に収納する容器と、をさらに備え、前記ピエゾ素子は、前記容器と前記ピエゾ素子の外側面との間に配置された複数の板状の弾性部材によって前記容器の内側に付勢される、と良い。
【００１６】
前記弾性部材は、導電性を有する非磁性体の金属板であって、前記ピエゾ素子に入力される前記駆動信号の配線を構成する、と良い。
【発明の効果】
【００１７】
送信又は受信される電波が遮断されることが抑制可能なピエゾ式駆動装置を提供することができる。
【発明を実施するための最良の形態】
【００１８】
以下、図面を参照しつつ、本発明の実施の形態について説明する。なお、各実施の形態は、説明の便宜上、簡略化されている。図面は簡略的なものであるから、図面の記載を根拠として本発明の技術的範囲を狭く解釈してはならない。図面は、もっぱら技術的事項の説明のためのものであり、図面に示された要素の正確な大きさ等は反映していない。同一の要素には、同一の符号を付し、重複する説明は省略するものとする。上下左右といった方向を示す言葉は、図面を正面視した場合を前提として用いるものとする。
【００１９】
〔第１の実施形態〕
第１の実施形態について、図１乃至７を参照しつ説明する。図１は、レンズ駆動装置の概略的な斜視図である。図２は、レンズ駆動装置の断面構成を示す概略的な模式図である。図３は、レンズ駆動装置の構成を説明するための概略的な分解斜視図である。図４は、ピエゾ素子の制御方法を説明するための説明図である。図５は、比較例に係るレンズ駆動装置の概略的な斜視図である。図６は、比較例に係るレンズ駆動装置の断面構成を示す概略的な模式図である。図７は、比較例にかかるレンズ駆動装置の構成を説明するための概略的な分解斜視図である。
【００２０】
図１に示すように、レンズ駆動装置５０は、レンズ１２をｙ軸に沿って上又は下に移動可能に保持する部品であり、ケース(本体部分)４、上蓋(上蓋部分)５を有する。ケース４と上蓋５とが互いに嵌合され、レンズ駆動装置５０の容器は構成される。
【００２１】
図２に、図１のＸ２−Ｘ２のレンズ駆動装置５０の概略的な断面構成を示す模式図を示す。
【００２２】
図２に示すように、レンズ駆動装置５０は、配線基板１、撮像装置２、フィルタ３、ケース４、上蓋５、を有する。また、レンズ駆動装置５０は、押蓋１０、レンズ保持体１１、レンズ１２、をケース４内に有する。また、レンズ駆動装置５０は、ロータ（回転体）２０、ピエゾ素子（ステータ）２１、ワッシャ（回転体）２２、板バネ２３、ロータ（回転体）２５をケース４内に有する。また、レンズ駆動装置５０は、ピエゾ素子２１とケース４との間に、複数の板バネ（弾性部材）１７を有する。
【００２３】
レンズ駆動装置５０は、撮像装置２上に配置されたレンズ部材１６を軸線ＡＸに沿って上下に移動させる。これにより、レンズ１２の焦点距離が変更され、撮像装置２で取得される像の大きさが変更される。なお、レンズ１２で集光された光は、フィルタ３を介して、撮像装置２に入力される。
【００２４】
配線基板１は、表面に配線が施された板状の部材である。配線基板１は、可撓性を有する配線基板（フレキサブル基板）であっても良い。配線基板１には、電圧制御発振器（不図示）、信号処理回路（不図示）も実装される。電圧制御発振器から出力されたパルス信号は、後述の板バネ１７を介して、ピエゾ素子２１の外側面に形成された電極に接続され、ピエゾ素子２１の分極部分（図４で説明する）に入力される。
【００２５】
撮像装置２は、CCD（Charge Coupled Device）、CMOS（Complementary Metal Oxide Semiconductor）、TFT(Thin Film Transistor)等の一般的な撮像装置である。撮像装置２は、配線基板１上に実装される。
【００２６】
フィルタ３は、板状のフィルタ部材であり、撮像装置２の感度波長範囲以外の波長の光（赤外領域の光）を遮断する。フィルタ３は、撮像装置２上に配置される。
【００２７】
ケース４は、軸線ＡＸに沿う貫通孔を有する筒状部材であって、配線基板１に実装される。ケース４は、ポリイミド等の樹脂からなり、例えば、樹脂が金型で成型されて製造される。ケース４は、板厚が厚い厚板部４ｂ、板厚が薄い薄板部４ｃを有する。また、ケース４は、ケース４の中心に向かって延在する突出部４ａを有する。突出部４ａの上方にはレンズ部材１６が配置され、突出部４ａの下面にはフィルタ３が搭載される。また、ケース４は、突出部４ａの上面からケース４の下端面まで延在する貫通孔１８を有する。板バネ１７は、ケース４に設けられた貫通孔１８を通過して配線基板１の配線と接続される。
【００２８】
上蓋５は、中心に開口を有する板状部材であって、ケース４に嵌合される。上蓋５は、ポリイミド等の樹脂からなる。上蓋５は、平板部５ａ、筒部５ｂ、鉤部５ｃを有する。平板部５ａは、ｘ軸に沿って延在する平坦な部分である。筒部５ｂは、平板部５ａの内端からｙ軸に沿って下方向に延在する部分である。鉤部５ｃは、平板部５ａの外端からｙ軸に沿って下方向に延在すると共に、折れ曲がった先端を有する部分である。ケース４の厚板部４ｂと薄板部４ｃとの間の段差面に鉤部５ｃの先端が圧接され、上蓋５はケース４に嵌合される。
【００２９】
冒頭で説明したように、レンズ部材１６は、押蓋１０、レンズ保持体１１、レンズ１２、を有する。押蓋１０、レンズ保持体１１、レンズ１２、らから構成されるレンズ部材（移動対象物）１６は、レンズ駆動装置５０により軸線ＡＸに沿って上又は下に移動可能に保持される。
【００３０】
レンズ１２は、板状の透明基板の両面に凸状部分を有するガラス部材である。レンズ１２は、外乱光を集光し、撮像装置２に像を結ぶ。レンズ１２の光軸は、軸線ＡＸと一致する。
【００３１】
レンズ保持体１１は、底面の中心に開口を有する器状の板状部材である。レンズ保持体１１は、ｘ軸に沿って延在する底部１１ａ、ｙ軸に沿って延在する胴部１１ｂを有する。底部１１ａ、胴部１１ｂは、一体に構成される。底部１１ａは、レンズ１２の表面の凸状部分に対応する開口を有する。底部１１ａの開口には、レンズ１２の凸状部分が収納される。レンズ保持体１１の胴部１１ｂの外側面には、螺旋状の溝が施される。なお、レンズ保持体１１は、樹脂材料からなる。
【００３２】
押蓋１０は、レンズ１２の裏面の凸状部分に対応した開口を有する板状の部材であり、レンズ保持体１１の胴部１１ｂの内側に配置される。尚、押蓋１０も、レンズ保持体１１と同様に樹脂材料からなる。
【００３３】
レンズ部材１６は、レンズ１２が押蓋１０によって器状のレンズ保持体１１の内側に固定されることで製造される。換言すると、レンズ１２は、レンズ保持体１１と押蓋１０との間に挟持される。
【００３４】
冒頭で説明したように、レンズ駆動装置５０のケース４内には、ロータ２０、ピエゾ素子２１、ワッシャ２２、板バネ２３、ロータ２５、が配置される。なお、これらは、ケース４の突出部４ａの上方に設けられる。
【００３５】
ロータ２０は、中心に開口を有するリング状の平板部材であって、圧電性を有するセラミックスからなる。ロータ２０は、ロータ２５の上端側の外周面に圧接される。ロータ２０は、ピエゾ素子２１の上端面からの力を受けて軸線ＡＸを中心として回転する。
【００３６】
ピエゾ素子２１は、軸線ＡＸに沿う貫通孔を有する筒状の部材である。ピエゾ素子２１は、圧電性のセラミックスからなり、入力されるパルス信号（電圧信号）に応じて伸縮する。ピエゾ素子２１は、軸線ＡＸに沿う分割線によって分割された４つの分極部分を有する。隣り合う分極部分は、互いに異なる極性に分極されている。ピエゾ素子２１の４つの分極部分に対応して、ピエゾ素子２１の外側面には４つの電極（不図示）が設けられている。また、ピエゾ素子の内側面には、ピエゾ素子２１の４つの分極部分に共通のグランド接地された電極が設けられている。なお、ピエゾ素子２１の各分極部分に設けられた電極は、配線基板１上に実装された電圧制御発振器からパルス信号が入力される。電圧制御発振器からのパルス信号は、金属材料からなる板バネ１７を介してピエゾ素子２１の各分極部分に入力される。
【００３７】
ワッシャ２２は、中心に開口を有するリング状の平坦な板状部材であり、圧電性を有するセラミックスからなる。ワッシャ２２は、ピエゾ素子２１の下端面からの力を受けて軸線ＡＸを中心として回転する。
【００３８】
板バネ（弾性部材）２３は、中心に開口を有するリング状の板状部材であって、非磁性体金属(好適には、銅合金（リン青銅（ＰＳＢＰ））)からなる。板バネ２３は、それ自体の構造によって上又は下にある部材を付勢する。ここでは、板バネ２３は、板状部材が円を描くように上下に蛇行しながら延在することで構成される。
【００３９】
ロータ２５は、円筒状の板状部材である。ロータ２５は、その下端部分につば部２４を有する。ロータ２５、つば部２４は、ともに樹脂からなり、金型を用いて一体成型される。なお、つば部２４自体は、中心に開口を有するリング状の平坦な板状部材である。また、ロータ２５の内側面には、螺旋状の溝が施される。ロータ２５は、ピエゾ素子２１からの力を受けて軸線ＡＸを中心として回転する。
【００４０】
つば部２４上には、板バネ２３、ワッシャ２２、ピエゾ素子２１、ロータ２０が、この順で配置される。すなわち、板バネ２３、ワッシャ２２、ピエゾ素子２１、ロータ２０らが圧接状態とされる際、つば部２４は底面として機能する。なお、つば部２４は、ピエゾ素子２１の下端面からの力を受けて軸線ＡＸを中心として回転する。
【００４１】
ロータ２５は、上述のレンズ保持体１１に回転可能に係合される。ここでは、ロータ２５の溝の凸凹とレンズ保持体１１の溝の凸凹とが噛み合わされる。
【００４２】
冒頭で説明したように、レンズ駆動装置５０は、ピエゾ素子２１とケース４との間に、４つの板バネ（弾性部材）１７を有する。板バネ１７は、棒状の板状部材であって、ピエゾ素子２１の分極部分に当接し、ピエゾ素子２１をケース４の内側に付勢する。また、電圧制御発振器からピエゾ素子２１に入力される所定周波数のパルス信号は、板バネ１７を介して、ピエゾ素子２１の外側面の電極に入力される。なお、板バネ１７は、板バネ２３と同様に、非磁性体金属(好適には、銅合金（リン青銅（ＰＳＢＰ））)からなる。
【００４３】
板バネ１７の上端部分は、ケース４の上端付近の内側面に当接される。板バネ１７の下端部分は、ケース４の下端付近の内側面に当接される。板バネ１７の中央部分は、ピエゾ素子２１の外側面に形成された電極に当接される。このようにして、板バネ１７は、その中央部で、ピエゾ素子２１をケース４の内側に向けて付勢する。
【００４４】
板バネ１７は、ケース４の４側面に対応して設けられる。これによって、ピエゾ素子２１は、板バネ１７によって、ケース４の内側に４方向から付勢され、ケース４内に宙吊り状態で保持される。
【００４５】
上述のピエゾ素子２１の４つの電極には、異なる位相のパルス信号が入力される。ピエゾ素子２１の分極部分ごとにパルス信号が入力され、ピエゾ素子２１は公転トルクをロータ２０、ロータ２５に生ぜしめる。そして、ロータ２５の回転に伴って、レンズ部材１６は軸線ＡＸに沿って上方向又は下方向に移動する。なお、レンズ部材１６は、上蓋５によって機械的に回転不能に保持されている。
【００４６】
本実施形態においては、ロータ２５、ロータ２０、ワッシャ２２は、非金属の材料からなる。従って、レンズ駆動装置５０によって、送信又は受信される電波が遮断されることが抑制される。これよって、レンズ駆動装置５０を高性能な携帯電話に適用することができる。
【００４７】
また、本実施形態においては、ロータ２０は、ピエゾ素子２１と同じ、圧電性のセラミックスからなる。同様に、ワッシャ２２も、ピエゾ素子２１と同じ、圧電性のセラミックスからなる。これによって、ピエゾ素子２１から受ける振動に基づいて、ロータ２０、ワッシャ２２は精度よく回転する。従って、ピエゾ素子２１に入力されるパルス信号の周波数制御に基づいて、より正確にレンズ部材１６の移動量を制御することが可能となる。すなわち、このように部材の材料を選定することで、電波の進行を妨害しないことに加えて、高精度な駆動制御を実現することができる。
【００４８】
また、本実施形態では、ケース４と上蓋５とが嵌合され、レンズ駆動装置５０の容器が構成される。換言すると、ケース４と上蓋５とを一体化するために、ネジ等の金属部品を用いない。ここでは、レンズ駆動装置５０は、板バネ１７、板バネ２３以外は、非金属材料からなる。従って、レンズ駆動装置５０によって、送信又は受信される電波が遮断されることが効果的に抑制される。また、板バネ１７、板バネ２３は、非磁性体の金属からなる。従って、強磁場の環境に、レンズ駆動装置５０がおかれたとしても、レンズ駆動装置５０の動作が損なわれることはない。
【００４９】
ここで、図３にレンズ駆動装置５０の概略的な分解斜視図を示す。
【００５０】
図３に示すように、つば部２４上には、板バネ２３が配置される。また、板バネ２３上には、ワッシャ２２が配置される。また、ワッシャ２２上には、ピエゾ素子２１が配置される。ピエゾ素子２１上には、ロータ２０が配置される。板バネ２３、ワッシャ２２、ピエゾ素子２１がつば部２４上に配置された状態で、ロータ２０はロータ２５に嵌められる。板バネ２３の付勢作用によって、ロータ２０とワッシャ２２とはピエゾ素子２１に摺動可能に当接される。ピエゾ素子２１から受ける振動に応じて、ロータ２０、ロータ２５は軸線ＡＸを回転中心として右回転又は左回転する。
【００５１】
レンズ部材１６上には、上蓋５が配置される。レンズ部材１６は、その上縁部分に、複数の窪部３１を有する。上蓋５は、その筒部５ｂの下端部分に、複数の突部３０を有する。レンズ部材１６の窪部３１と上蓋５の突部３０とは互いに嵌合される。そして、レンズ部材１６は、上蓋５に対して回転不能となる。これによって、ロータ２５の回転に伴って、レンズ部材１６は軸線ＡＸに沿って上又は下に移動する。
【００５２】
ここで、図４を参照して、ピエゾ素子２１の制御方法について説明する。
【００５３】
図４（ａ）に示すように、ピエゾ素子２１は、複数の分極部分２１ａ〜２１ｄに分割されている。分極部分２１ａには、端子ａからパルス信号Ｓ＿ａが入力される。分極部分２１ｂには、端子ｂからパルス信号Ｓ＿ｂが入力される。分極部分２１ｃには、端子ｃからパルス信号Ｓ＿ｃが入力される。同様に、分極部分２１ｄには、端子ｄからパルス信号Ｓ＿ｄが入力される。
【００５４】
パルス信号Ｓ＿ｂは、パルス信号Ｓ＿ａよりも遅延して立ち上がる。パルス信号Ｓ＿ｃは、パルス信号Ｓ＿ｂよりも遅延して立ち上がる。パルス信号Ｓ＿ｄは、パルス信号Ｓ＿ｃよりも遅延して立ち上がる。なお、パルス信号Ｓ＿ａとパルス信号Ｓ＿ｃとは逆相の関係にある。また、パルス信号Ｓ＿ｂとパルス信号Ｓ＿ｄとは逆相の関係にある。
【００５５】
図４（ａ）から明らかなように、ピエゾ素子２１の駆動状態は、時刻ｔ１−ｔ２間の第１モード、時刻ｔ２−ｔ３間の第２モード、時刻ｔ３−ｔ４間の第３モード、時刻ｔ４−ｔ５間の第４モードの計４つのモードが設定される。
【００５６】
各第１〜第４のモードでは、互いに隣り合う逆極性の極性部分にハイレベルのパルス電圧が入力される。ハイレベルのパルス電圧が入力されることで各極性部分は、図４（ｂ）に模式的に示すように内側又は外側に伸縮する。同様に、各極性部分は、図４（ｃ）に模式的に示すように上に又は下に伸縮する。このようにピエゾ素子２１に４モードのパルス信号が繰り返し入力されることによって、ピエゾ素子２１は、ロータ２０、ロータ２５に軸線ＡＸを回転中心とした公転トルクを生ぜしめる。そして、ロータ２５の回転に基づいて、レンズ部材１６は上又は下に移動される。
【００５７】
以下、比較例にかかるレンズ駆動装置５１について、図５乃至７を参照して説明する。なお、図５は、比較例に係るレンズ駆動装置５１の概略的な斜視図である。図６は、比較例に係るレンズ駆動装置５１の断面構成を示す概略的な模式図である。図７は、比較例にかかるレンズ駆動装置５１の構成を説明するための概略的な分解斜視図である。以下、図５乃至図７の３つの図を同時に参照することを前提として説明する。
【００５８】
レンズ駆動装置５１では、ロータ２０は金属（ステンレス鋼（ＳＵＳ））からなる。同様に、ロータ２５は、金属（ステンレス鋼（ＳＵＳ））からなる。つば部２４も同様である。
【００５９】
また、金属（ステンレス鋼（ＳＵＳ））のネジ９によって、ケース４と上蓋５とは一体化される。また、金属のネジ８によって、金属（ステンレス鋼（ＳＵＳ））の押板６はケース４に固定される。押板６は、金属のバネ７をケース４の貫通孔１４に閉じ込める。ピエゾ素子２１の分極部分には、押板６、バネ７を介して、電圧制御発振器から出力されたパルス信号が入力される。
【００６０】
上述の説明から明らかなように、レンズ駆動装置５１では、金属部材を様々な部分に使用している。金属部材を多用すると、その金属部材の大きさに応じて、受信又は送信される電波が遮断される。特に、レンズ部材１６の囲む形状を有するロータに金属部材を用いると、占有空間が大きい分、受信又は送信される電波は遮断されやすい。また、ロータを磁性材料で構成しているため、強磁場の環境で、レンズ駆動装置５１を動作させることはできない。
【００６１】
本発明の技術的範囲は、上述の実施形態に限定されない。ロータは、非金属の材料から構成されれば良く、その具体的な材料の種類は任意である。いうまでもなく、レンズ以外の部材を移動対象物としても良い。また、同様に、撮像装置用の駆動装置には限定されない。
【図面の簡単な説明】
【００６２】
【図１】レンズ駆動装置５０の概略的な斜視図である。
【図２】レンズ駆動装置５０の断面構成を示す概略的な模式図である。
【図３】レンズ駆動装置５０の構成を説明するための概略的な分解斜視図である。
【図４】ピエゾ素子２１の制御方法を説明するための説明図である。
【図５】比較例に係るレンズ駆動装置５１の概略的な斜視図である。
【図６】比較例に係るレンズ駆動装置５１の断面構成を示す概略的な模式図である。
【図７】比較例に係るレンズ駆動装置５１の構成を説明するための概略的な分解斜視図である。
【符号の説明】
【００６３】
５０    レンズ駆動装置
２０    ロータ
２１    ピエゾ素子
２２    ワッシャ
２３    板バネ
２４  つば部
２５    ロータ
４    ケース
５    上蓋
１６    レンズ部材
１７    板バネ
【図１】
2008278578.tif 000003
【図２】
2008278578.tif 000004
【図３】
2008278578.tif 000005
【図４】
2008278578.tif 000006
【図５】
2008278578.tif 000007
【図６】
2008278578.tif 000008
【図７】
2008278578.tif 000009